(57)【要約】【課題】複数の医療施設において個々に生成された患者情報の中から同一患者のものを判断する際に、安全な患者検索を実現する。【解決手段】患者情報表示装置では、複数の医療施設において各患者について生成された患者情報を記憶する患者データベースに記憶されている患者情報に対応する患者の中からユーザーが検索対象患者を指定すると（ステップＳ１）、患者データベースに記憶されている患者情報に基づいて、検索対象患者と類似する類似患者を検索して表示させる（ステップＳ２）。ユーザーが類似患者の中から、比較候補とする比較患者を選択すると（ステップＳ３）、検索対象患者と比較患者のそれぞれに対応する患者情報を表形式で、患者情報間の差異を比較可能に表示させる（ステップＳ４）。【選択図】図２
2017215883.tif 000002
【特許請求の範囲】
【請求項１】
複数の医療施設において各患者について生成された患者情報を記憶する記憶手段に記憶されている患者情報に対応する患者の中からユーザーが検索対象患者を指定するための指定手段と、
前記記憶手段に記憶されている患者情報に基づいて、前記検索対象患者と類似する類似患者を検索する検索手段と、
前記検索対象患者と前記類似患者のそれぞれに対応する患者情報を表形式で、患者情報間の差異を比較可能に表示手段に表示させる制御手段と、
を備える患者情報表示装置。
【請求項２】
前記制御手段は、前記検索対象患者と前記類似患者のそれぞれに対応する患者情報を表示させる際に、患者情報間の差異を強調するための付加情報を付加して表示させる請求項１に記載の患者情報表示装置。
【請求項３】
前記制御手段は、前記類似患者に対応する患者情報において、前記検索対象患者に対応する患者情報と異なる項目を、前記検索対象患者とは異なる背景色、文字色又はフォントで表現する請求項２に記載の患者情報表示装置。
【請求項４】
前記類似患者が前記検索対象患者と同一患者であることをユーザーが指示するための同一患者指示手段を備え、
前記制御手段は、前記同一患者指示手段により、前記類似患者が前記検索対象患者と同一患者であることが指示された場合に、当該類似患者が前記検索対象患者と同一患者であることを示す情報を生成する請求項１から３のいずれか一項に記載の患者情報表示装置。
【請求項５】
前記類似患者が前記検索対象患者と別患者であることをユーザーが指示するための別患者指示手段を備え、
前記制御手段は、前記別患者指示手段により、前記類似患者が前記検索対象患者と別患者であることが指示された場合に、当該類似患者が前記検索対象患者と別患者であることを示す情報を生成する請求項１から４のいずれか一項に記載の患者情報表示装置。
【請求項６】
前記表示手段に表示されている患者情報に含まれる項目のうち、比較対象外とする項目をユーザーが指示するための比較対象外指示手段を備え、
前記制御手段は、前記比較対象外指示手段により、前記比較対象外とする項目が指示された場合に、当該指示された項目を比較対象外として、前記検索手段に再検索を行わせる請求項１から５のいずれか一項に記載の患者情報表示装置。
【請求項７】
前記検索手段により検索された前記類似患者の中からユーザーが比較候補とする比較患者を選択するための選択手段を備え、
前記制御手段は、前記表示手段に患者情報を表形式で表示させる際に、前記検索対象患者と前記選択された比較患者のみを対象とする請求項１から６のいずれか一項に記載の患者情報表示装置。
【請求項８】
複数の医療施設において各患者について生成された患者情報を記憶する記憶手段に記憶されている患者情報に対応する患者の中からユーザーによる検索対象患者の指定を受け付ける工程と、
前記記憶手段に記憶されている患者情報に基づいて、前記検索対象患者と類似する類似患者を検索する工程と、
前記検索対象患者と前記類似患者のそれぞれに対応する患者情報を表形式で、患者情報間の差異を比較可能に表示手段に表示させる工程と、
を含む患者情報表示方法。
【発明の詳細な説明】
【技術分野】
【０００１】
本発明は、患者情報表示装置及び患者情報表示方法に関する。
【背景技術】
【０００２】
近年、病院や診療所等の医療施設における機能の分化が進み、或る患者の一つの疾病に対する対応（ケアサイクル：検査、診断、治療等）も複数の施設に跨って行われるようになってきている。各施設では、施設毎に独自の識別情報（患者ＩＤ等）で患者を管理しており、地域によっては地域内で一意な地域ＩＤを使用している例があるが、施設あるいは地域に跨った患者の情報を一意に特定するための共通の識別情報は存在しない。マイナンバー（登録商標）や医療等ＩＤが導入されつつあるが、医療に関する実用化の可否や時期等は不明である。
【０００３】
このため、各医療施設で生成された医療情報については、患者の氏名、生年月日、性別等を組み合わせて患者の同一性を判断することになる。
例えば、医療機関での患者に関する医療情報について、ユーザーが指定した項目における一致割合を各患者間で算定し、この一致割合が、項目毎に予め定められた情報一致度を上回る場合に、該当患者ペアは同一人物であるとして該当患者の医療情報を対応付けて出力する医療情報管理システムが提案されている（特許文献１参照）。
【先行技術文献】
【特許文献】
【０００４】
【特許文献１】特開２０１１−２５７８５４号公報
【発明の概要】
【発明が解決しようとする課題】
【０００５】
しかしながら、医療施設毎に患者氏名の表記方法や運用が異なる環境では、コンピューター処理で患者の一致を完全に判断することは不可能であった。例えば、患者同士の氏名と生年月日が一致したからといっても、別人であるおそれもある。また、患者情報の内容が元々間違っている場合もあり、安易に同一人物であると判断してしまうのは危険である。
【０００６】
また、患者を撮影して得られた検査画像の管理においては、カルテ情報等の一般的な医療情報よりも、さらに同一患者の識別に困難を伴う。具体的には、検査機器毎に、患者氏名の扱いが異なる場合が多く、日本国外のベンダーの検査機器の中には、日本語が扱えない機器も存在する。このため、同じ病院内の検査画像間ですら、同一患者に対して、漢字、ひらがな、カタカナ、アルファベット（ローマ字）の患者氏名が混在する。
さらに、患者氏名に旧漢字や外字等の特別な漢字が含まれていたり、漢字をひらがなで記載したりする場合もあるため、日本語表記においては、特に、氏名の一致を判断することが難しい。
【０００７】
また、同一人物であっても氏名や性別が変わる場合もあるため、これらの要素が変わる可能性も考慮する必要がある。このように、各医療施設で生成された患者の情報について、同一患者のものであるか否かを判断する際には、人間の目視による確認が避けられない。
【０００８】
本発明は、上記の従来技術における問題に鑑みてなされたものであって、複数の医療施設において個々に生成された患者情報の中から同一患者のものを判断する際に、安全な患者検索を実現することを課題とする。
【課題を解決するための手段】
【０００９】
上記課題を解決するために、請求項１に記載の発明は、複数の医療施設において各患者について生成された患者情報を記憶する記憶手段に記憶されている患者情報に対応する患者の中からユーザーが検索対象患者を指定するための指定手段と、前記記憶手段に記憶されている患者情報に基づいて、前記検索対象患者と類似する類似患者を検索する検索手段と、前記検索対象患者と前記類似患者のそれぞれに対応する患者情報を表形式で、患者情報間の差異を比較可能に表示手段に表示させる制御手段と、を備える患者情報表示装置である。
【００１０】
請求項２に記載の発明は、請求項１に記載の患者情報表示装置において、前記制御手段は、前記検索対象患者と前記類似患者のそれぞれに対応する患者情報を表示させる際に、患者情報間の差異を強調するための付加情報を付加して表示させる。
【００１１】
請求項３に記載の発明は、請求項２に記載の患者情報表示装置において、前記制御手段は、前記類似患者に対応する患者情報において、前記検索対象患者に対応する患者情報と異なる項目を、前記検索対象患者とは異なる背景色、文字色又はフォントで表現する。
【００１２】
請求項４に記載の発明は、請求項１から３のいずれか一項に記載の患者情報表示装置において、前記類似患者が前記検索対象患者と同一患者であることをユーザーが指示するための同一患者指示手段を備え、前記制御手段は、前記同一患者指示手段により、前記類似患者が前記検索対象患者と同一患者であることが指示された場合に、当該類似患者が前記検索対象患者と同一患者であることを示す情報を生成する。
【００１３】
請求項５に記載の発明は、請求項１から４のいずれか一項に記載の患者情報表示装置において、前記類似患者が前記検索対象患者と別患者であることをユーザーが指示するための別患者指示手段を備え、前記制御手段は、前記別患者指示手段により、前記類似患者が前記検索対象患者と別患者であることが指示された場合に、当該類似患者が前記検索対象患者と別患者であることを示す情報を生成する。
【００１４】
請求項６に記載の発明は、請求項１から５のいずれか一項に記載の患者情報表示装置において、前記表示手段に表示されている患者情報に含まれる項目のうち、比較対象外とする項目をユーザーが指示するための比較対象外指示手段を備え、前記制御手段は、前記比較対象外指示手段により、前記比較対象外とする項目が指示された場合に、当該指示された項目を比較対象外として、前記検索手段に再検索を行わせる。
【００１５】
請求項７に記載の発明は、請求項１から６のいずれか一項に記載の患者情報表示装置において、前記検索手段により検索された前記類似患者の中からユーザーが比較候補とする比較患者を選択するための選択手段を備え、前記制御手段は、前記表示手段に患者情報を表形式で表示させる際に、前記検索対象患者と前記選択された比較患者のみを対象とする。
【００１６】
請求項８に記載の発明は、複数の医療施設において各患者について生成された患者情報を記憶する記憶手段に記憶されている患者情報に対応する患者の中からユーザーによる検索対象患者の指定を受け付ける工程と、前記記憶手段に記憶されている患者情報に基づいて、前記検索対象患者と類似する類似患者を検索する工程と、前記検索対象患者と前記類似患者のそれぞれに対応する患者情報を表形式で、患者情報間の差異を比較可能に表示手段に表示させる工程と、を含む患者情報表示方法である。
【発明の効果】
【００１７】
本発明によれば、複数の医療施設において個々に生成された患者情報の中から同一患者のものを判断する際に、安全な患者検索を実現することができる。
【図面の簡単な説明】
【００１８】
【図１】患者情報表示装置の構成を示すブロック図である。
【図２】患者情報表示装置により実行される検索結果表示処理を示すフローチャートである。
【図３】検索結果表示画面の例である。
【図４】比較患者テーブルの例である。
【図５】患者情報比較リストの具体例である。
【図６】比較患者が検索対象患者と同一患者である旨の操作中の患者情報比較リストの表示例である。
【図７】比較患者が検索対象患者と同一患者である旨の操作後の患者情報比較リストの表示例である。
【図８】比較患者が検索対象患者と別患者である旨の操作中の患者情報比較リストの表示例である。
【図９】比較患者が検索対象患者と別患者である旨の操作後の患者情報比較リストの表示例である。
【図１０】或る項目を比較対象外とする旨の操作中の患者情報比較リストの表示例である。
【図１１】或る項目を比較対象外とする旨の操作後の患者情報比較リストの表示例である。
【発明を実施するための形態】
【００１９】
以下、本発明の一実施の形態について説明する。なお、本発明は、図示例に限定されるものではない。
【００２０】
図１に、患者情報表示装置１０の構成を示す。
患者情報表示装置１０は、制御部１１、操作部１２、表示部１３、通信部１４、ＲＡＭ（Random Access Memory）１５、記憶部１６等を備えて構成され、各部はバス１７により接続されている。
【００２１】
制御部１１は、ＣＰＵ（Central Processing Unit）等により構成され、記憶部１６に記憶されているシステムプログラムや各種処理プログラムを読み出し、ＲＡＭ１５内に形成されたワークエリアに展開し、当該プログラムに従って各部を制御する。
【００２２】
操作部１２は、カーソルキー、文字入力キー、及び各種機能キー等を備えたキーボードと、マウス等のポインティングデバイスを備えて構成され、キーボードに対するキー操作やマウス操作により入力された指示信号を制御部１１に出力する。また、操作部１２は、表示部１３を覆うように形成されたタッチパネルを含む構成であってもよい。
例えば、操作部１２は、記憶部１６に記憶されている患者情報に対応する患者の中からユーザーが検索対象患者を指定する際、類似患者の中からユーザーが比較候補とする比較患者を選択する際、類似患者（比較患者）が検索対象患者と同一患者であることをユーザーが指示する際、類似患者（比較患者）が検索対象患者と別患者であることをユーザーが指示する際、表示部１３に表示されている患者情報に含まれる項目のうち、比較対象外とする項目をユーザーが指示する際に用いられる。すなわち、操作部１２は、指定手段、選択手段、同一患者指示手段、別患者指示手段、比較対象外指示手段として機能する。
【００２３】
表示部１３は、ＬＣＤ（Liquid Crystal Display）等のモニターにより構成され、制御部１１から入力される表示信号の指示に従って、各種画面等を表示する。
【００２４】
通信部１４は、ＬＡＮ（Local Area Network）アダプター、ルーター、ＴＡ（Terminal Adapter）等を備え、通信ネットワークに接続された外部装置との間でデータの送受信を行う。
【００２５】
ＲＡＭ１５は、制御部１１により実行制御される各種処理において、記憶部１６から読み出された各種プログラム、入力若しくは出力データ、及びパラメーター等を一時的に格納するワークエリアを形成する。
【００２６】
記憶部１６は、ハードディスクや半導体の不揮発性メモリー等により構成される。記憶部１６は、制御部１１で実行されるシステムプログラムや各種処理プログラム、これらのプログラムの実行に必要なデータを記憶する。
【００２７】
記憶部１６には、患者検索処理プログラムＰ１、検索結果表示処理プログラムＰ２、患者データベース１６１が記憶されている。
患者検索処理プログラムＰ１は、患者データベース１６１に格納されている患者情報に基づいて、所定の検索条件に合致する患者を検索し、抽出する患者検索処理を実行させるためのプログラムである。
検索結果表示処理プログラムＰ２は、患者検索処理により検索された患者の患者情報を、ユーザーが患者間の関連性を把握しやすいように、患者情報間の差異を比較可能に表示する処理を実行させるためのプログラムである。
【００２８】
患者データベース１６１には、複数の医療施設において各患者について生成された患者情報が記憶されている。患者データベース１６１には、例えば、Ａ病院の患者データベース２０Ａから取得された患者情報、Ｂ病院の患者データベース２０Ｂから取得された患者情報、・・・、Ｘ病院の患者データベース２０Ｘから取得された患者情報が混在している。
患者情報は、複数の項目（要素）から構成される。例えば、患者情報には、患者の氏名（漢字・カナ・アルファベット）、生年月日、性別、住所、電話番号等が含まれる。
【００２９】
なお、患者データベース１６１において、各患者情報に、カルテ情報、検査画像、バイタル情報等の医療情報が対応付けられていることとしてもよい。医療情報は、当該医療情報と対応付けられている患者情報と同じ医療施設において生成されたものである。
【００３０】
制御部１１は、患者検索処理プログラムＰ１との協働により、患者データベース１６１に記憶されている患者情報に基づいて、検索対象患者と類似する類似患者を検索する。すなわち、制御部１１は、検索手段として機能する。
なお、類似患者には、検索対象患者と患者情報が完全に一致している患者も含まれる。
【００３１】
制御部１１は、検索結果表示処理プログラムＰ２との協働により、検索対象患者と類似患者のそれぞれに対応する患者情報を表形式で、患者情報間の差異を比較可能に表示部１３に表示させる。
本実施の形態では、まず、制御部１１は、患者検索処理により検索された類似患者を表示部１３に表示させ、表示部１３に表示されている類似患者の中から、ユーザーによる比較患者の選択を受け付ける。
制御部１１は、表示部１３に患者情報を表形式で表示させる際に、検索対象患者と選択された比較患者のみを対象とする。
【００３２】
制御部１１は、検索対象患者と類似患者（比較患者）のそれぞれに対応する患者情報を表示させる際に、患者情報間の差異を強調するための付加情報を付加して表示させる。
具体的には、制御部１１は、類似患者（比較患者）に対応する患者情報において、検索対象患者に対応する患者情報と異なる項目を、検索対象患者とは異なる背景色、文字色又はフォントで表現する。つまり、制御部１１は、患者情報を表形式で表示させる際に、検索対象患者と異なる部分を強調して表示させる。ここでは、検索対象患者と異なる背景色、文字色又はフォントを用いることが、「付加情報」の付加に相当する。
なお、付加情報は、検索対象患者と類似患者（比較患者）とで差異がある項目（部分）を認識しやすくするための情報であればよい。例えば、差異のある項目名を強調表示させたり、差異のある部分や項目名に矢印を付加して表示させたりする等、通常とは異なる表記方法を用いることで、付加情報を付加することができる。
【００３３】
制御部１１は、操作部１２により、類似患者（比較患者）が検索対象患者と同一患者であることが指示された場合に、当該類似患者（比較患者）が検索対象患者と同一患者であることを示す情報を生成する。
【００３４】
制御部１１は、操作部１２により、類似患者（比較患者）が検索対象患者と別患者であることが指示された場合に、当該類似患者（比較患者）が検索対象患者と別患者であることを示す情報を生成する。
【００３５】
制御部１１は、操作部１２により、比較対象外とする項目が指示された場合に、指示された項目を比較対象外として、再検索を行わせる。
【００３６】
次に、患者情報表示装置１０における動作について説明する。
図２は、患者情報表示装置１０により実行される検索結果表示処理を示すフローチャートである。この処理は、制御部１１と記憶部１６に記憶されているプログラムとの協働によるソフトウェア処理によって実現される。
【００３７】
まず、制御部１１は、ユーザーの操作部１２からの操作により、患者データベース１６１に患者情報が記憶されている患者の中から検索対象患者の指定を受け付ける（ステップＳ１）。
【００３８】
次に、制御部１１は、患者データベース１６１に記憶されている患者情報に基づいて、検索対象患者と類似する類似患者を検索し、検索により得られた類似患者を表示部１３に表示させる（ステップＳ２）。
【００３９】
ここで、類似患者の検索方法について説明する。
例えば、患者情報のうち、患者の氏名（漢字・カナ・アルファベット）、生年月日、性別の５項目を用いる。患者情報の５項目に対して、ペナルティー値が、氏名（漢字）については「５」、氏名（カナ）については「１」、氏名（アルファベット）については「１」、生年月日については「３」、性別については「１」と設定されている。
【００４０】
制御部１１は、検索対象患者と他の患者との間で患者情報を項目毎に比較し、不一致だった項目のペナルティー値を基準値「１」に加算し、加算結果の逆数を取り、患者間の類似度を算出する。
例えば、患者間で氏名（カナ）、氏名（アルファベット）、性別は一致しているが、氏名（漢字）と生年月日が不一致だった場合には、類似度は、以下のように求められる。
類似度＝１／｛基準値＋氏名（漢字）のペナルティー値＋生年月日のペナルティー値｝
＝１／（１＋５＋３）
＝０．１１
【００４１】
また、患者間で氏名（漢字）、生年月日、性別は一致しているが、氏名（カナ）、氏名（アルファベット）が不一致だった場合には、類似度は、以下のように求められる。
類似度＝１／｛基準値＋氏名（カナ）のペナルティー値＋氏名（アルファベット）のペナルティー値｝
＝１／（１＋１＋１）
＝０．３３
【００４２】
このように、制御部１１は、検索対象患者と他の患者との間で類似度を算出し、類似度が所定の値以上の患者を類似患者として抽出する。患者検索処理により自動的に抽出された類似患者及び検索対象患者に対応する患者情報は、ＲＡＭ１５に記憶される。
なお、類似患者を検索する際に比較対象とする項目は、上記の例に限定されない。
【００４３】
次に、制御部１１は、ユーザーの操作部１２からの操作により、表示部１３に表示されている類似患者の中から、比較候補とする比較患者の選択を受け付ける（ステップＳ３）。
【００４４】
図３に、表示部１３に表示される検索結果表示画面１３１の例を示す。検索結果表示画面１３１には、検索患者一覧領域３０と、患者情報比較領域４０と、が含まれる。
【００４５】
検索患者一覧領域３０には、検索対象患者と、検索により得られた一又は複数の類似患者の一覧が表示される。検索患者一覧領域３０には、類似患者毎に、チェックボックスＣ１〜Ｃｎが設けられている。チェックボックスＣ１〜Ｃｎにチェックが入れられることで、類似患者の中から、患者情報比較領域４０に表示される比較患者が選択される。
【００４６】
患者情報比較領域４０には、患者情報比較リスト４１が表示される。
患者情報比較リスト４１は、検索対象患者と選択された比較患者のそれぞれに対応する患者情報を項目毎に表形式で表すものであり、検索対象患者と各比較患者との患者情報の差異が比較可能となっている。
【００４７】
類似患者の中から選択された比較患者を示す情報は、ＲＡＭ１５に記憶される。
図４に、ＲＡＭ１５に記憶される比較患者テーブル１５１の例を示す。比較患者テーブル１５１には、検索対象患者５０及び比較患者５１〜５５の患者情報が格納されている。  
【００４８】
また、比較患者テーブル１５１には、各比較患者５１〜５５に対して同一フラグが対応付けられている。同一フラグは、比較患者５１〜５５に対するユーザーの判断結果を示すものである。同一フラグの初期値は「０」であり、ユーザーの判断により値が変更される。各比較患者５１〜５５が検索対象患者５０と同一患者であると判断された場合には、同一フラグは「１」となり、各比較患者５１〜５５が検索対象患者５０と別患者であると判断された場合には、同一フラグは「２」となる。
【００４９】
次に、制御部１１は、ＲＡＭ１５に記憶されている比較患者テーブル１５１に基づいて、検索対象患者と比較患者のそれぞれに対応する患者情報を、項目毎に比較可能に表形式で表示部１３に表示させる（ステップＳ４）。具体的には、制御部１１は、比較患者に対応する患者情報において、検索対象患者に対応する患者情報と異なる項目を、検索対象患者とは異なる背景色、文字色又はフォントで表現する。また、検索対象患者と比較患者との間で、完全に異なっている項目と、部分的に異なっている項目とで背景色を変えて、異なる度合いを表現してもよい。
【００５０】
図５に、図３に示した検索結果表示画面１３１の患者情報比較領域４０に表示される患者情報比較リスト４１Ａの具体例を示す。患者情報比較リスト４１Ａには、検索対象患者５０及び比較患者５１〜５５の患者情報が項目毎に表示されている。具体的には、「佐藤勝（サトウマサル）」という検索対象患者５０、「佐藤勝（サトウマサル）」という比較患者５１、「佐藤勝（サトウカツ）」という比較患者５２、「Sato Masaru」という比較患者５３、「Satou Masaru」という比較患者５４、「伊藤勝（イトウマサル）」という比較患者５５について、それぞれ患者の氏名（漢字・カナ・アルファベット）、生年月日、性別、住所等が表示されている。ただし、項目によって情報がないものについては、空欄となっている。
なお、表示項目については図示例に限定されず、検査履歴等の検査情報を合わせて表示することとしてもよい。
【００５１】
比較患者５２の「氏名（カナ）」は「サトウカツ」であり、検索対象患者５０の「氏名（カナ）」の「サトウマサル」と一部が異なるため、比較患者５２の「氏名（カナ）」の項目欄６１は、例えば、背景色が黄色で表示される。同様に、比較患者５２の「氏名（アルファベット）」の項目欄６２、比較患者５４の「氏名（アルファベット）」の項目欄６３、比較患者５５の「氏名（漢字）」の項目欄６４、比較患者５５の「氏名（カナ）」の項目欄６５、比較患者５５の「氏名（アルファベット）」の項目欄６６についても、対応する検索対象患者５０の項目と一部が異なるため、背景色が黄色で表示される。
また、比較患者５２の「性別」は「女」であり、検索対象患者５０の「性別」の「男」と異なるため、比較患者５２の「性別」の項目欄６７は、例えば、背景色がオレンジ色で表示される。同様に、比較患者５４の「生年月日」の項目欄６８についても、対応する検索対象患者５０の項目と異なるため、背景色がオレンジ色で表示される。
なお、図面においては、背景色の違いをパターンで表している。
【００５２】
また、患者情報比較リスト４１Ａにおいて、比較患者５１〜５５に対応する患者情報のうち、検索対象患者５０に対応する患者情報と異なる部分の文字色やフォントを変えることとしてもよい。例えば、検索対象患者５０の患者情報と異なる部分の文字を赤色かつ太字で表すことにより、検索対象患者５０との差異を、より強調することができる。
【００５３】
また、患者情報比較リスト４１Ａには、患者毎に、チェックボックスＣ１０〜Ｃ１５が設けられている。チェックボックスＣ１０〜Ｃ１５は、同一患者と判断された患者のグループを示すために用いられるものであり、グループに属する患者に対応するチェックボックスＣ１０〜Ｃ１５にチェックマークが表示される。
なお、図６〜図１１に示す患者情報比較リスト４１Ｂ〜４１Ｇについても、図３に示した検索結果表示画面１３１の患者情報比較領域４０に表示されるものである。
【００５４】
次に、制御部１１は、ユーザーにより操作部１２から、表示部１３に表示されている比較患者が検索対象患者と同一患者である旨の操作が行われたか否かを判断する（ステップＳ５）。
【００５５】
例えば、ユーザーが、図６に示す患者情報比較リスト４１Ｂにおいて、比較患者５５の「氏名（漢字）」の項目欄６４をマウスでクリックすると、「同一患者と判断しますか？」という確認メッセージＭ１とともに、はいボタンＢ１１、いいえボタンＢ１２が表示される。ユーザーは、はいボタンＢ１１を押下することで、比較患者５５が検索対象患者５０と同一患者であることを指示する。
【００５６】
比較患者が検索対象患者と同一患者である旨の操作が行われた場合には（ステップＳ５；ＹＥＳ）、制御部１１は、操作対象とされた比較患者を検索対象患者と同一患者とする（ステップＳ６）。具体的には、制御部１１は、ＲＡＭ１５に記憶されている比較患者テーブル１５１の比較患者のうち、ユーザーにより検索対象患者と同一患者であると判断された比較患者に対応する同一フラグを「１」に変更する。つまり、同一フラグを「１」へと変更することが、操作対象の比較患者が検索対象患者と同一患者であることを示す情報を生成することに相当する。
【００５７】
次に、制御部１１は、同一患者と判断された患者の患者情報において、検索対象患者との差異項目の表示を変更する（ステップＳ７）。
【００５８】
図６に示す患者情報比較リスト４１Ｂにおいて、はいボタンＢ１１が押下された場合に表示される患者情報比較リスト４１Ｃを、図７に示す。
患者情報比較リスト４１Ｃにおいて、比較患者５５の「氏名（漢字）」の項目欄６４の記載は、検索対象患者５０と異なるが、比較患者５５が検索対象患者５０と同一患者であると判断されたことにより、例えば、項目欄６４の文字に緑色の下線Ｌ１が付される。
また、比較患者５５が検索対象患者５０と同一患者であると判断されたことにより、検索対象患者５０に対応するチェックボックスＣ１０と、比較患者５５に対応するチェックボックスＣ１５にチェックマークが表示される。
これにより、比較患者５５の患者情報は、検索対象患者５０の患者情報と異なる部分があるが、比較患者５５は検索対象患者５０と同一患者であると判断されたことが認識可能となる。
【００５９】
次に、制御部１１は、ユーザーによる同一患者の判断結果に伴い、同一患者と判断された患者の情報を検索条件に追加して（ステップＳ８）、ステップＳ２に戻る。具体的には、制御部１１は、ユーザーが同一患者であると判断した比較患者と検索対象患者との差異については、同様の差異があっても抽出対象となるように、検索条件を変更する。例えば、「佐藤勝」という検索対象患者に対して「伊藤勝」という比較患者が同一患者であると判断された場合には、「伊藤勝」も抽出対象となるように検索条件が変更される。
再検索により新たな類似患者が抽出され、類似患者の中から新たな比較患者が選択された場合には、新たな比較患者に対応する患者情報が比較患者テーブル１５１に追加される。
【００６０】
ステップＳ５において、比較患者が検索対象患者と同一患者である旨の操作が行われない場合には（ステップＳ５；ＮＯ）、制御部１１は、ユーザーにより操作部１２から、表示部１３に表示されている比較患者が検索対象患者と別患者である旨の操作が行われたか否かを判断する（ステップＳ９）。
【００６１】
例えば、ユーザーが、図８に示す患者情報比較リスト４１Ｄにおいて、比較患者５２の「氏名（カナ）」の項目欄６１をマウスでクリックすると、「別患者と判断しますか？」という確認メッセージＭ２とともに、はいボタンＢ２１、いいえボタンＢ２２が表示される。ユーザーは、はいボタンＢ２１を押下することで、比較患者５２が検索対象患者５０と別患者であることを指示する。
【００６２】
比較患者が検索対象患者と別患者である旨の操作が行われた場合には（ステップＳ９；ＹＥＳ）、制御部１１は、操作対象とされた比較患者を検索対象患者と別患者とする（ステップＳ１０）。具体的には、制御部１１は、ＲＡＭ１５に記憶されている比較患者テーブル１５１の比較患者のうち、ユーザーにより検索対象患者と別患者であると判断された比較患者に対応する同一フラグを「２」に変更する。つまり、同一フラグを「２」へと変更することが、操作対象の比較患者が検索対象患者と別患者であることを示す情報を生成することに相当する。
【００６３】
次に、制御部１１は、別患者と判断された患者の表示を変更して（ステップＳ１１）、ステップＳ５に戻る。
【００６４】
図８に示す患者情報比較リスト４１Ｄにおいて、はいボタンＢ２１が押下された場合に表示される患者情報比較リスト４１Ｅを、図９に示す。
患者情報比較リスト４１Ｅでは、比較患者５２の「氏名（カナ）」の項目欄６１だけでなく、比較患者５２の患者情報の全ての項目欄の背景色が灰色に変更されている。
【００６５】
ステップＳ９において、比較患者が検索対象患者と別患者である旨の操作が行われない場合には（ステップＳ９；ＮＯ）、制御部１１は、ユーザーにより操作部１２から、表示部１３に表示されている患者情報に含まれる項目のうち、或る項目を比較対象外とする旨の操作が行われたか否かを判断する（ステップＳ１２）。
【００６６】
例えば、ユーザーが、図１０に示す患者情報比較リスト４１Ｆにおいて、「住所」という項目タイトル７１をマウスでクリックすると、「この項目を比較対象から外しますか？」という確認メッセージＭ３とともに、はいボタンＢ３１、いいえボタンＢ３２が表示される。ユーザーは、はいボタンＢ３１を押下することで、「住所」という項目を比較対象外とすることを指示する。
【００６７】
或る項目を比較対象外とする旨の操作が行われた場合には（ステップＳ１２；ＹＥＳ）、制御部１１は、比較対象外とされた項目の表示を変更する（ステップＳ１３）。
【００６８】
図１０に示す患者情報比較リスト４１Ｆにおいて、はいボタンＢ３１が押下された場合に表示される患者情報比較リスト４１Ｇを、図１１に示す。
患者情報比較リスト４１Ｇでは、全ての患者（検索対象患者５０及び比較患者５１〜５５）に対応する患者情報について、「住所」という項目タイトル７１に対応する項目欄の背景色が灰色に変更される。
【００６９】
次に、制御部１１は、比較対象外とされた項目を検索条件から削除して（ステップＳ１４）、ステップＳ２に戻る。具体的には、制御部１１は、比較対象外とされた項目を類似患者の検索に用いる項目から除外して、再検索を行う。すなわち、比較対象外とされた項目については、検索対象患者と異なっていても、類似の判断に影響を及ぼさない。
再検索により新たな類似患者が抽出され、類似患者の中から新たな比較患者が選択された場合には、新たな比較患者に対応する患者情報が比較患者テーブル１５１に追加される。
【００７０】
ステップＳ１２において、或る項目を比較対象外とする旨の操作が行われない場合には（ステップＳ１２；ＮＯ）、制御部１１は、操作が終了したか否かを判断する（ステップＳ１５）。例えば、制御部１１は、全ての比較患者に対して、検索対象患者と同一患者であるか、別患者であるかのユーザーによる判断が終了した場合には、操作が終了したと判断する。
操作が終了しない場合には（ステップＳ１５；ＮＯ）、ステップＳ５に戻り、処理が繰り返される。
【００７１】
ステップＳ１５において、操作が終了した場合には（ステップＳ１５；ＹＥＳ）、検索結果表示処理が終了する。
【００７２】
制御部１１は、ＲＡＭ１５に記憶されている比較患者テーブル１５１の比較患者のうち、同一フラグが「１」である比較患者、すなわち、ユーザーが検索対象患者と同一患者であると判断した比較患者に対応する患者情報を、検索対象患者に対応する患者情報とともに出力する。出力先は、患者情報表示装置１０内のソフトウェアであってもよいし、外部装置であってもよい。
具体的には、制御部１１は、同一患者であると判断された検索対象患者と比較患者の患者情報（各患者情報に対応付けられている医療情報を含む。）を対応付けて、それ以降の処理で使用可能とする。例えば、異なる医療施設で行われた検査結果を参照したり、複数の医療施設に跨って診断された過去の病状の経過を参照したりすることができる。
【００７３】
以上説明したように、本実施の形態の患者情報表示装置１０によれば、検索対象患者と比較患者のそれぞれに対応する患者情報を表形式で、患者情報間の差異を比較可能に表示部１３に表示させるので、ユーザーは、検索対象患者と比較患者に対応する患者情報間の差異を容易に確認することができる。したがって、複数の医療施設において個々に生成された患者情報の中から同一患者のものを判断する際に、安全な患者検索を実現することができる。
【００７４】
また、検索対象患者と比較患者のそれぞれに対応する患者情報を表示させる際に、付加情報を付加することにより、検索対象患者と比較患者の患者情報間の差異を強調することができる。
例えば、比較患者に対応する患者情報において、検索対象患者に対応する患者情報と異なる項目を、検索対象患者とは異なる背景色、文字色又はフォントで表現することにより、検索対象患者と比較患者の患者情報間の差異を認識しやすくなる。
【００７５】
また、ユーザーの判断で、比較患者が検索対象患者と同一患者であること、比較患者が検索対象患者と別患者であることを指示することができる。
また、ユーザーの判断で、患者情報に含まれる項目のうち、比較対象外とする項目を指示することができるので、内容が変わり得る項目等については、類似患者の検索に用いる項目から除外することができる。
【００７６】
なお、上記実施の形態における記述は、本発明に係る患者情報表示装置の例であり、これに限定されるものではない。装置を構成する各部の細部構成及び細部動作に関しても本発明の趣旨を逸脱することのない範囲で適宜変更可能である。
【００７７】
例えば、上記実施の形態では、表示部１３に患者情報を表形式で表示させる際に、検索対象患者と比較患者のみを対象とした場合について説明したが、ユーザーの選択による限定を行うことなく、検索対象患者と自動的に抽出された全ての類似患者を対象として、患者情報を表形式で、患者情報間の差異を比較可能に表示させることとしてもよい。
【００７８】
また、検索対象患者と類似患者（比較患者）の患者情報間の差異を強調して表示させるにあたり、検索対象患者と異なる項目の背景色、文字色、フォント等の表現方法については、ユーザーにより自由に設定可能とする。
【００７９】
また、上記実施の形態では、患者データベース１６１が装置内部にある場合について説明したが、装置外部の患者データベースから患者情報を取得することとしてもよい。
【符号の説明】
【００８０】
１０  患者情報表示装置
１１  制御部
１２  操作部
１３  表示部
１６  記憶部
３０  検索患者一覧領域
４０  患者情報比較領域
４１  患者情報比較リスト
４１Ａ〜４１Ｇ  患者情報比較リスト
５０  検索対象患者
５１〜５５  比較患者
１３１  検索結果表示画面
１５１  比較患者テーブル
１６１  患者データベース
【図１】
2017215883.tif 000003
【図２】
2017215883.tif 000004
【図３】
2017215883.tif 000005
【図４】
2017215883.tif 000006
【図５】
2017215883.tif 000007
【図６】
2017215883.tif 000008
【図７】
2017215883.tif 000009
【図８】
2017215883.tif 000010
【図９】
2017215883.tif 000011
【図１０】
2017215883.tif 000012
【図１１】
2017215883.tif 000013